(57)【要約】  本発明は、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）アソシエーション（ＧＳＭＡ）および第３世代パートナーシッププロジェクト（３ＧＰＰ）による仕様に基づいたＳ８ホームルーティング（Ｓ８ＨＲ）に関する。本発明の第１の態様において、ワイヤレス通信端末（２０）がＳ８ＨＲローミングを行うときに合法的傍受（ＬＩ）を可能にする方法が提供される。方法は、第１のＬＭＩＳＦ（２６）において、ワイヤレス通信端末（２０）をサーブする第１のＳＧＷ（２２）から、ＬＩを行うために必要とされるワイヤレス通信端末（２０）のＩＭＳ関連情報を受信すること（Ｓ１０１）と、第１のＬＭＩＳＦ（２６）から、ワイヤレス通信端末（２０）をサーブする第２のＳＧＷ（３４）にワイヤレス通信端末（２０）が再配置されると、ＬＩを行うために必要とされるワイヤレス通信端末（２０）の受信されたＩＭＳ関連情報を、第２のＳＧＷ（３４）と関連付けられた第２のＬＭＩＳＦ（３８）に提供することと、を含む。【選択図】図３Ａ
2019521605.tif 000002
【特許請求の範囲】
【請求項１】
ワイヤレス通信端末（２０）がＳ８ホームルーティングローミングを行うときに合法的傍受（ＬＩ）を可能にする方法であって、
第１のＬＩミラーインターネットプロトコルサブシステム（ＩＭＳ）状態機能（２６）（ＬＭＩＳＦ）において、前記ワイヤレス通信端末（２０）をサーブする第１のサービングゲートウェイ（２２）（ＳＧＷ）から、ＬＩを行うために必要とされる前記ワイヤレス通信端末（２０）のＩＭＳ関連情報を受信すること（Ｓ１０１、１０２）と、
前記ワイヤレス通信端末（２０）をサーブする第２のＳＧＷ（３４）に前記ワイヤレス通信端末（２０）が再配置されると、前記第１のＬＭＩＳＦ（２６）から、ＬＩを行うために必要とされる前記ワイヤレス通信端末（２０）の受信された前記ＩＭＳ関連情報を、前記第２のＳＧＷ（３４）と関連付けられた第２のＬＭＩＳＦ（３８）に提供すること（Ｓ１０２、１３０）と
を含む、方法。
【請求項２】
ワイヤレス通信端末（２０）がＳ８ホームルーティングローミングを行うときに合法的傍受（ＬＩ）を可能にする方法であって、
モビリティ管理エンティティ（４２）（ＭＭＥ）において、第１のサービングゲートウェイ（２２）（ＳＧＷ）から、前記ワイヤレス通信端末（２０）をサーブする第１のＬＩミラーインターネットプロトコルサブシステム（ＩＭＳ）状態機能（２６）（ＬＭＩＳＦ）のアドレスを受信すること（Ｓ２０１、１００）と、
前記ＭＭＥ（４２）から第２のＳＧＷ（３４）を介して、前記ワイヤレス通信端末（２０）が再配置される第２のＬＭＩＳＦ（３８）に、前記第１のＬＭＩＳＦ（２６）の前記アドレスを提供すること（Ｓ２０２、１１６）であって、ＬＩを行うために必要とされる前記ワイヤレス通信端末（２０）のＩＭＳ関連情報は、前記第１のＬＭＩＳＦ（２６）から前記第２のＬＭＩＳＦ（３８）によって取得可能である、提供することと
を含む、方法。
【請求項３】
前記ＭＭＥ（４２）において、前記第１のＳＧＷ（２２）によって提供される前記第１のＬＭＩＳＦ（２６）のアドレスをＵＥコンテキストの一部分として記憶すること（１００）をさらに含む、請求項２に記載の方法。
【請求項４】
前記ＭＭＥ（４２）によって前記第２のＳＧＷ（３４）に、セッション作成要求を発行すること（１１６）によって、前記第２のＳＧＷ（３４）に前記第１のＬＭＩＳＦ（２６）の前記アドレスを提供することをさらに含む、請求項３に記載の方法。
【請求項５】
前記ＭＭＥ（４２）において、前記セッション作成要求に応答して、前記第２のＳＧＷ（３４）から、前記第２のＬＭＩＳＦ（３８）のアドレスを含むセッション作成応答を受信すること（１２２）をさらに含む、請求項４に記載の方法。
【請求項６】
ワイヤレス通信端末（２０）がＳ８ホームルーティングローミングを行うときに合法的傍受（ＬＩ）を可能にする方法であって、
前記ワイヤレス通信端末（２０）をサーブするモビリティ管理エンティティ（４２）（ＭＭＥ）において、前記ワイヤレス通信端末（２０）をサーブする第１のＬＩミラーインターネットプロトコルサブシステム（ＩＭＳ）状態機能（２６）（ＬＭＩＳＦ）のアドレスを受信すること（Ｓ３０１）と、  前記ワイヤレス通信端末（２０）が再配置されるべき別のＭＭＥ（４２）を介して、前記再配置後に前記ワイヤレス通信端末（２０）をサーブする第２のＬＭＩＳＦ（３８）に、前記第１のＬＭＩＳＦ（２６）の前記アドレスを提供すること（Ｓ３０２）であって、ＬＩを行うために必要とされる前記ワイヤレス通信端末（２０）のＩＭＳ関連情報は、前記第１のＬＭＩＳＦ（２６）から前記第２のＬＭＩＳＦ（３８）によって取得可能である、提供することと
を含む、方法。
【請求項７】
ワイヤレス通信端末（２０）がＳ８ホームルーティングローミングを行うときに合法的傍受（ＬＩ）を可能にする方法であって、
前記ワイヤレス通信端末（２０）が再配置される第２のＬＩミラーインターネットプロトコルサブシステム（ＩＭＳ）状態機能（３８）（ＬＭＩＳＦ）において、前記再配置前に前記ワイヤレス通信端末（２０）をサーブした第１のＬＭＩＳＦ（２６）のアドレスを、前記第２のＬＭＩＳＦ（３８）と関連付けられたサービングゲートウェイ（３４）（ＳＧＷ）を介して前記第２のＬＭＩＳＦ（３８）をサーブするモビリティ管理エンティティ（４２）（ＭＭＥ）から受信すること（Ｓ２０２、１２６）と、
前記第１のＬＭＩＳＦ（２６）から、ＬＩを行うために必要とされる前記ワイヤレス通信端末（２０）のＩＭＳ関連情報を取得すること（Ｓ２０３、１３０）と
を含む、方法。
【請求項８】
前記ワイヤレス通信端末（２０）が再配置されるＬＩポリシ制御機能（４８）（ＬＰＣＦ）に、前記ワイヤレス通信端末（２０）がＬＩの対象であることを通知すること（１３２）をさらに含む、請求項７に記載の方法。
【請求項９】
前記ワイヤレス通信端末（２０）の前記ＩＭＳ関連情報は、前記ワイヤレス通信端末のユーザ機器（ＵＥ）コンテキストを含む、請求項１から８のいずれか一項に記載の方法。
【請求項１０】
前記ＵＥコンテキストは、前記第１のＬＭＩＳＦ（２６）のアドレスをさらに含む、請求項９に記載の方法。
【請求項１１】
行われるＬＩ機能は、音声呼の傍受を含む、請求項１から１０のいずれか一項に記載の方法。
【請求項１２】
ワイヤレス通信端末（２０）がＳ８ホームルーティングローミングを行うときに合法的傍受（ＬＩ）を可能にするように設定される、第１のＬＩミラーインターネットプロトコルサブシステム（ＩＭＳ）状態機能（２６）（ＬＭＩＳＦ）であって、
前記第１のＬＭＩＳＦ（２６）は、プロセッサ（５８）およびメモリ（６０）を含み、前記メモリは、前記プロセッサによって実行可能である命令を含有することによって、前記第１のＬＭＩＳＦ（２６）は、
前記ワイヤレス通信端末（２０）をサーブする第１のサービングゲートウェイ（２２）（ＳＧＷ）から、ＬＩを行うために必要とされる前記ワイヤレス通信端末（２０）のＩＭＳ関連情報を受信し、
前記ワイヤレス通信端末（２０）をサーブする第２のＳＧＷ（３４）に前記ワイヤレス通信端末（２０）が再配置されると、ＬＩを行うために必要とされる前記ワイヤレス通信端末（２０）の受信された前記ＩＭＳ関連情報を、前記第２のＳＧＷ（３４）と関連付けられた第２のＬＭＩＳＦ（３８）に提供するように動作可能である、第１のＬＩミラーインターネットプロトコルサブシステム（ＩＭＳ）状態機能（２６）（ＬＭＩＳＦ）。
【請求項１３】
前記ワイヤレス通信端末の前記ＩＭＳ関連情報は、前記ワイヤレス通信端末（２０）のユーザ機器（ＵＥ）コンテキストを含む、請求項１２に記載の第１のＬＭＩＳＦ（２６）。
【請求項１４】
ワイヤレス通信端末（２０）がＳ８ホームルーティングローミングを行うときに合法的傍受（ＬＩ）を可能にするように設定されるモビリティ管理エンティティ（４２）（ＭＭＥ）であって、
前記ＭＭＥ（４２）は、プロセッサ（１５８）およびメモリ（１６０）を含み、前記メモリは、前記プロセッサによって実行可能である命令を含有することによって、前記ＭＭＥ（４２）は、
第１のサービングゲートウェイ（２２）（ＳＧＷ）から、前記ワイヤレス通信端末（２０）をサーブする第１のＬＩミラーインターネットプロトコルサブシステム（ＩＭＳ）状態機能（２６）（ＬＭＩＳＦ）のアドレスを受信し、
第２のＳＧＷ（３８）を介して、前記ワイヤレス通信端末（２０）が再配置される第２のＬＭＩＳＦ（３８）に、前記第１のＬＭＩＳＦ（２６）の前記アドレスを提供することであって、ＬＩを行うために必要とされる前記ワイヤレス通信端末（２０）のＩＭＳ関連情報は、前記第１のＬＭＩＳＦ（２６）から前記第２のＬＭＩＳＦ（３８）によって取得可能である、提供することを行うように動作可能である、モビリティ管理エンティティ（４２）（ＭＭＥ）。
【請求項１５】
前記第１のＳＧＷ（２２）によって提供される前記第１のＬＭＩＳＦ（２６）のアドレスをＵＥコンテキストの一部分として記憶するようにさらに動作可能である、請求項１４に記載のＭＭＥ（４２）。
【請求項１６】
セッション作成要求を前記第２のＳＧＷ（３４）に発行することによって、前記第２のＳＧＷ（３４）に前記第１のＬＭＩＳＦ（２６）の前記アドレスを提供するようにさらに設定される、請求項１５に記載のＭＭＥ（４２）。
【請求項１７】
前記セッション作成要求に応答して、前記第２のＳＧＷ（３４）から、前記第２のＬＭＩＳＦ（３８）のアドレスを含むセッション作成応答を受信するようにさらに設定される、請求項１６に記載のＭＭＥ（４２）。
【請求項１８】
ワイヤレス通信端末（２０）がＳ８ホームルーティングローミングを行うときに合法的傍受（ＬＩ）を可能にするように設定される、前記ワイヤレス通信端末（２０）をサーブするモビリティ管理エンティティ（４２）（ＭＭＥ）であって、
前記ＭＭＥ（４２）は、プロセッサ（１５８）およびメモリ（１６０）を含み、前記メモリは、前記プロセッサによって実行可能である命令を含有することによって、前記ＭＭＥ（４２）は、
前記ワイヤレス通信端末（２０）をサーブする第１のＬＩミラーインターネットプロトコルサブシステム（ＩＭＳ）状態機能（２６）（ＬＭＩＳＦ）のアドレスを受信し、
前記ワイヤレス通信端末（２０）が再配置されるべき別のＭＭＥ（４２）を介して、前記再配置後に前記ワイヤレス通信端末（２０）をサーブする第２のＬＭＩＳＦ（３８）に、前記第１のＬＭＩＳＦ（２６）の前記アドレスを提供することであって、ＬＩを行うために必要とされる前記ワイヤレス通信端末（２０）のＩＭＳ関連情報は、前記第１のＬＭＩＳＦ（２６）から前記第２のＬＭＩＳＦ（３８）によって取得可能である、提供することを行うように動作可能である、モビリティ管理エンティティ（４２）（ＭＭＥ）。
【請求項１９】
ワイヤレス通信端末（２０）がＳ８ホームルーティングローミングを行うときに合法的傍受（ＬＩ）を可能にするように設定される、第２のＬＩミラーインターネットプロトコルサブシステム（ＩＭＳ）状態機能（３８）（ＬＭＩＳＦ）であって、
前記第２のＬＭＩＳＦ（３８）は、プロセッサ（５８）およびメモリ（６０）を含み、前記メモリは、前記プロセッサによって実行可能である命令を含有することによって、前記第２のＬＭＩＳＦ（３８）は、
前記第２のＬＭＩＳＦ（３８）への前記ワイヤレス通信端末（２０）の再配置前に前記ワイヤレス通信端末（２０）をサーブした第１のＬＭＩＳＦ（２６）のアドレスを、前記第２のＬＭＩＳＦ（３８）と関連付けられたサービングゲートウェイ（３４）（ＳＧＷ）を介して、前記第２のＬＭＩＳＦ（３８）をサーブするモビリティ管理エンティティ（４２）（ＭＭＥ）から受信し、
前記第１のＬＭＩＳＦ（２６）から、ＬＩを行うために必要とされる前記ワイヤレス通信端末（２０）のＩＭＳ関連情報を取得するように動作可能である、第２のＬＩミラーインターネットプロトコルサブシステム（ＩＭＳ）状態機能（３８）（ＬＭＩＳＦ）。
【請求項２０】
前記ワイヤレス通信端末（２０）が再配置されるＬＩポリシ制御機能（４８）（ＬＰＣＦ）に、前記ワイヤレス通信端末（２０）がＬＩの対象であることを通知すること（１３２）をさらに含む、請求項１９に記載の第２のＬＭＩＳＦ（３８）。
【請求項２１】
コンピュータ実行可能命令を含むコンピュータプログラムであって、
前記コンピュータ実行可能命令がデバイス（２６、３８）に含まれるプロセッサ（５８）上で実行されるとき、前記デバイスに、請求項１または請求項７から１１のいずれか一項に記載のステップを行わせる、コンピュータプログラム。
【請求項２２】
コンピュータ可読媒体（６０）を含むコンピュータプログラム製品であって、
前記コンピュータ可読媒体には、請求項２１に記載のコンピュータプログラムが具現化されている、コンピュータプログラム製品。
【請求項２３】
コンピュータ実行可能命令を含むコンピュータプログラムであって、
前記コンピュータ実行可能命令が、デバイス（４２）に含まれるプロセッサ（１５８）上で実行されるとき、前記デバイスに、請求項２から６のいずれか一項に記載のステップを行わせる、コンピュータプログラム。
【請求項２４】
コンピュータ可読媒体（１６０）を含むコンピュータプログラム製品であって、
前記コンピュータ可読媒体には、請求項２３に記載のコンピュータプログラムが具現化されている、コンピュータプログラム製品。
【発明の詳細な説明】
【技術分野】
【０００１】
本発明は、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）アソシエーション（ＧＳＭＡ）および第３世代パートナーシッププロジェクト（３ＧＰＰ）による仕様に基づいたＳ８ホームルーティング（Ｓ８ＨＲ）に関する。
【背景技術】
【０００２】
ＧＳＭＡは、Ｓ８ホームルーティング（Ｓ８ＨＲ）と呼ばれる、Ｖｏｉｃｅ  Ｏｖｅｒ  Ｌｏｎｇ  Ｔｅｒｍ  Ｅｖｏｌｕｔｉｏｎ（ＶｏＬＴＥ）ローミングのための新しいアーキテクチャを明示している［１］。図１Ａは、Ｌｏｃａｌ  Ｂｒｅａｋ−Ｏｕｔ（ＬＢＯ）として知られている既存のインターネットプロトコル（ＩＰ）マルチメディアサブシステム（ＩＭＳ）ローミングアーキテクチャを示し、図１Ｂは、より新しいＳ８ＨＲローミングアーキテクチャを示す。図１Ａおよび図１Ｂは、ホーム地上波公共移動通信ネットワーク（ＨＰＬＭＮ：Ｈｏｍｅ  Ｐｕｂｌｉｃ  Ｌａｎｄ  Ｍｏｂｉｌｅ  Ｎｅｔｗｏｒｋ）１０および訪問先地上波公共移動通信ネットワーク（ＶＰＬＭＮ：Ｖｉｓｉｔｅｄ  Ｐｕｂｌｉｃ  Ｌａｎｄ  Ｍｏｂｉｌｅ  Ｎｅｔｗｏｒｋ）１２内のネットワークエレメントの相互作用を示す。
【０００３】
図１Ａは従来のＬＢＯ設定を示す。図１Ａに示されるように、ＬＢＯにおいて、エボルブドパケットコア（ＥＰＣ：Ｅｖｏｌｖｅｄ  Ｐａｃｋｅｔ  Ｃｏｒｅ）へのパケットデータネットワーク（ＰＤＮ）接続のために使用されるプロキシ呼／セッション制御機能（Ｐ−ＣＳＣＦ：Ｐｒｏｘｙ  Ｃａｌｌ／Ｓｅｓｓｉｏｎ  Ｃｏｎｔｒｏｌ  Ｆｕｎｃｔｉｏｎ）１４およびパケットゲートウェイ（ＰＧＷ）１６は、両方ともＶＰＬＭＮにある。Ｐ−ＣＳＣＦ１４は、ＨＰＬＭＮにあるサービング呼セッション制御機能（Ｓ−ＣＳＣＦ：Ｓｅｒｖｉｎｇ  Ｃａｌｌ／Ｓｅｓｓｉｏｎ  Ｃｏｎｔｒｏｌ  Ｆｕｎｃｔｉｏｎ）１８と通信する。
【０００４】
図１Ａにおいて、ユーザ機器（ＵＥ）２０は、ＶＰＬＭＮ１２内のＰＧＷ１６およびＰ−ＣＳＣＦ１４を通してＨＰＬＭＮ１０内にあるＳ−ＣＳＣＦ１８にベアラトラフィックを送る、シグナリングゲートウェイ（ＳＧＷ）２２を介してネットワークに接続する。Ｐ−ＣＳＣＦ１４およびＳ−ＣＳＣＦ１８は、ＩＭＳ内の機能エンティティである。Ｐ−ＣＳＣＦ１４はＩＭＳ／セッション開始プロトコル（ＳＩＰ）識別子を「見る」ことができるため、ＶＰＬＭＮ１２内で合法的傍受（ＬＩ：Ｌａｗｆｕｌ  Ｉｎｔｅｒｃｅｐｔｉｏｎ）機能を実行することができる。ＬＢＯにおいて、モビリティによるＰ−ＣＳＣＦ１４の変更はない。モビリティはＳＧＷ２２（およびモビリティ管理エンティティ（ＭＭＥ））によってハンドリングされる。ＬＩはＰ−ＣＳＣＦ１４において行われるため、ＵＥモビリティは、Ｐ−ＣＳＣＦ１４によって実行されるＬＩ機能に影響を与えない。
【０００５】
図１Ｂは従来のＳ８ＨＲ設定を示す。図１Ｂに示されるように、Ｐ−ＣＳＣＦ１４およびＰＧＷ１６の両方がＶＰＬＭＮ１２ではなくＨＰＬＭＮ１０にあり、かつＰＧＷ１６がＳ８インターフェースを介してＶＰＬＭＮ１２と通信する点で、Ｓ８ＨＲはＬＢＯと異なっている。Ｓ８ＨＲにおいて、ＩＭＳ  ＶｏＬＴＥ呼を伝える通信路に含まれるＶＰＬＭＮ１２における唯一のコアネットワークノードはＳＧＷ２２である。すなわち、ＶＰＬＭＮ１２内のＩＭＳノードはＶｏＬＴＥローミング呼に関与していない。
【０００６】
これには、ＶＰＬＭＮ１２におけるＬＩに関する意味が含まれているが、これは、Ｓ８ＨＲにおいて、呼び出す／呼び出したパーティ数といった、ＶｏＬＴＥ関連情報を傍受するために使用可能であるＶＰＬＭＮ内のＩＭＳノードがないからである。いくつかの国では、これは規制関係を有するが、これは、ホームオペレータとのローミング協定に基づいて音声サービスを提供しているオペレータが、傍受の対象である場合のＩＭＳサブスクライバに対する音声呼を傍受する法的必要条件を有する場合があるからである。第３世代パートナーシッププロジェクト（３ＧＰＰ）ＴＳＧ  ＳＡ  ＷＧ３−ＬＩは、ＶＰＬＭＮにおけるＶｏＬＴＥ呼の傍受を可能にするように機能要件およびＬＩアーキテクチャを規定するための技術報告（ＴＲ）［２］に取り組んでいる。
【０００７】
ＬＩコンポーネントの動作は以下の通りである。ＩＭＳ  ＶｏＬＴＥベアラがＳＧＷ２２／ベアラバインディング傍受および転送機能（ＢＢＩＦＦ）２４において検出されるとき、汎用パケット無線サービス（ＧＰＲＳ）トンネリングプロトコル（ＧＴＰ）ベアラは、Ｘｉａインターフェースを介して合法的傍受（ＬＩ）ミラーＩＭＳ状態機能（ＬＭＩＳＦ：ＬＩ  Ｍｉｒｒｏｒ  ＩＭＳ  Ｓｔａｔｅ  Ｆｕｎｃｔｉｏｎ）２６に提供される。ＬＭＩＳＦ２６は、ＧＴＰベアラからＩＭＳシグナリングを抽出することができる。ＬＭＩＳＦ２６が音声呼を傍受するための要求をＸ１インターフェースを介して受信する場合、ＬＭＩＳＦ２６は、ＬＩポリシ制御機能（ＬＰＣＦ）２８に通知し、かつＬＩ対象をＧＴＰトンネル識別子にマッピングする情報を提供する。ＬＰＣＦ２８は、ポリシ命令をＳＧＷ２２／ＢＢＩＦＦ２４に送ることによって応答することになる。ポリシ命令を受信することに応答して、ＳＧＷ２２／ＢＢＩＦＦ２４は、ＩＭＳコンテンツを含む通信の一般的コンテンツを、Ｘ３インターフェースを介してＤＦ３  ３０などの適切な配信機能（ＤＦ）に送り始めてよい。ＬＭＩＳＦ２６は、音声呼ＳＩＰメッセージのコピーを、Ｘ２インターフェースを介してＤＦ２  ３２などの適切なＤＦに送り始めてよい。
【０００８】
［２］で提案されかつ図１Ｂに示されるＬＩアーキテクチャにおいて、ＳＧＷ２２は、アクセスポイント名（ＡＰＮ）およびサービス品質（ＱｏＳ）クラス識別子（ＱＣＩ）などのパラメータをチェックすることによってＶｏＬＴＥに関連しているベアラを識別し、かつ、これらのベアラをＬＭＩＳＦ２６に提供し、その後、関与したＩＭＳ識別子が傍受の対象であるかどうかをチェックする。ＵＥ２０が位置を変更すると、ＵＥ２０をサーブするＳＧＷは変わる場合があり、例えば、ＵＥ２０はＳＧＷ２２などのドナーＳＧＷから（図１Ｂに示されない）レセプタＳＧＷまで移ってよい。これが生じるとき、レセプタＳＧＷと関連付けられたＬＭＩＳＦは、ドナーＳＧＷ２２と関連付けられたＬＭＩＳＦ２６と異なっている場合がある。これは図２に図式によって表されている。
【０００９】
図２において、ＵＥ２０は、最初に、ＳＧＷ／ＢＢＩＦＦ、例えば、以降「ドナーＳＧＷ１  ２２」と称され、かつ、ＩＭＳ関連情報を、第１のＬＭＩＳＦ、例えば、以降「ドナーＬＭＩＳＦ１  ２６」と称されるＬＭＩＳＦ１  ２６に、Ｘ１ａインターフェース上で提供する、ＳＧＷ１  ２２／ＢＢＩＦＦ１  ２４によってサーブされる。ドナーＬＭＩＳＦ１  ２６はＩＭＳ関連情報を解析する。この解析に基づいて、ドナーＬＭＩＳＦ１  ２６は、ＳＩＰシグナリングを回復することができ、かつ傍受したＳＩＰメッセージを、Ｘ２インターフェース上で、ＤＦ３２などのＤＦに送り始めてよい。ＵＥ２０は次いで、ドナーＳＧＷ１から第２のＳＧＷ／ＢＢＩＦＦ、例えば、以降「レセプタＳＧＷ２」と称されるＳＧＷ２  ３４／ＢＢＩＦＦ２  ３６に変わる。レセプタＳＧＷ２は、第２のＬＭＩＳＦ、例えば、以降「レセプタＬＭＩＳＦ２  ３８」と称されるＬＭＩＳＦ２と関連付けられる。レセプタＳＧＷ２  ３４は、ＩＭＳ関連情報を別のＸ１ａインターフェース上でレセプタＬＭＩＳＦ２  ３８に提供することになる。［２］のバージョンよりも新しい［５］において、強化されたアーキテクチャがＳＡ３−ＬＩによって提案されかつ推奨されていることは留意されたい。この新しいアーキテクチャにおいて、この変更は通信コンテンツの傍受に影響し、それによって、ＳＧＷ２２はコンテンツをＸ３上でＤＦ３  ３０に提供せず、該コンテンツをＬＭＩＳＦ２６に送り、さらにまた（ユーザが傍受の対象である場合）コンテンツをＸ３上でＤＦ３  ３０に送ることになる。この変更は本明細書に論述される提案された解決策に影響しない。
【００１０】
しかしながら、先行技術のＳ８ＨＲローミングによる問題は、レセプタＬＭＩＳＦ２  ３８がＶｏＬＴＥ呼が開始されたときの情報を受信しないため、レセプタＬＭＩＳＦ２  ３８が、ドナーＬＭＩＳＦ１  ２６によって以前に収集されたＩＭＳ関連情報にアクセスできなくなり、これがこの情報を１つのＬＭＩＳＦから別のＬＭＩＳＦに伝送させる機構がないことに起因していることである。
【発明の概要】
【００１１】
本発明の目的は、当技術分野におけるこの問題を解決し、または少なくとも軽減することであり、よって、ワイヤレス通信端末がＳ８ＨＲローミングを行うときにＬＩを可能にすることである。
【００１２】
上記の問題は、インターネットプロトコル（ＩＰ）マルチメディアサブシステム（ＩＭＳ）情報を、ドナー、すなわち、第１のＬＭＩＳＦから、レセプタ、すなわち、第２のＬＭＩＳＦに、シグナリングゲートウェイ（ＳＧＷ）再配置が生じるときに必要に応じて伝送させることを可能にすることによって、解決可能である。このような伝送を可能にするための方法およびシステムは本明細書において提供される。
【００１３】
この目的は、本発明の第１の態様において、ワイヤレス通信端末がＳ８ＨＲローミングを行うときにＬＩを可能にする方法によって達成される。本方法は、第１のＬＭＩＳＦにおいて、ワイヤレス通信端末をサーブする第１のＳＧＷから、ＬＩを行うために必要とされるワイヤレス通信端末のＩＭＳ関連情報を受信することと、ワイヤレス通信端末をサーブする第２のＳＧＷにワイヤレス通信端末が再配置されると、第１のＬＭＩＳＦから、ＬＩを行うために必要とされるワイヤレス通信端末の受信したＩＭＳ関連情報を、第２のＳＧＷと関連付けられた第２のＬＭＩＳＦに提供することとを含む。
【００１４】
この目的は、本発明の第２の態様において、ワイヤレス通信端末がＳ８ホームルーティングローミングを行うときにＬＩを可能にするように設定される第１のＬＭＩＳＦによって達成される。ここで、第１のＬＭＩＳＦは、プロセッサおよびメモリを含み、上記のメモリは、上記のプロセッサによって実行可能である命令を含有することによって、第１のＬＭＩＳＦは、ワイヤレス通信端末をサーブする第１のＳＧＷから、ＬＩを行うために必要とされるワイヤレス通信端末のＩＭＳ関連情報を受信することと、ワイヤレス通信端末をサーブする第２のＳＧＷにワイヤレス通信端末が再配置されると、ＬＩを行うために必要とされるワイヤレス通信端末の受信したＩＭＳ関連情報を、第２のＳＧＷと関連付けられた第２のＬＭＩＳＦに提供することとを行うように動作可能である。
【００１５】
この目的は、本発明の第３の態様において、ワイヤレス通信端末がＳ８ホームルーティングローミングを行うときにＬＩを可能にする方法によって達成される。本方法は、ＭＭＥにおいて、第１のＳＧＷから、ワイヤレス通信端末をサーブする第１のＬＭＩＳＦのアドレスを受信することと、ＭＭＥから第２のＳＧＷを介してワイヤレス通信端末が再配置される第２のＬＭＩＳＦに、第１のＬＭＩＳＦのアドレスを提供することであって、ＬＩを行うために必要とされるワイヤレス通信端末のＩＭＳ関連情報は、第１のＬＭＩＳＦから第２のＬＭＩＳＦによって取得可能である、提供することとを含む。
【００１６】
この目的は、本発明の第４の態様において、ワイヤレス通信端末がＳ８ホームルーティングローミングを行うときにＬＩを可能にするように設定されるＭＭＥによって達成される。ここで、ＭＭＥは、プロセッサおよびメモリを含み、上記のメモリは、上記のプロセッサによって実行可能である命令を含有することによって、ＭＭＥは、第１のＳＧＷから、ワイヤレス通信端末をサーブする第１のＬＭＩＳＦのアドレスを受信することと、ワイヤレス通信端末が、ワイヤレス通信端末が再配置される第２のＬＭＩＳＦに第２のＳＧＷを介して、第１のＬＭＩＳＦのアドレスを提供することであって、ＬＩを行うために必要とされるワイヤレス通信端末のＩＭＳ関連情報は、第１のＬＭＩＳＦから第２のＬＭＩＳＦによって取得可能である、提供することとを行うように、動作可能である。
【００１７】
この目的は、本発明の第５の態様において、ワイヤレス通信端末がＳ８ホームルーティングローミングを行うときにＬＩを可能にする方法によって達成される。本方法は、ワイヤレス通信端末をサーブするＭＭＥにおいて、ワイヤレス通信端末をサーブする第１のＬＭＩＳＦのアドレスを受信することと、サーブするＭＭＥから、ワイヤレス通信端末が再配置されるべき別のＭＭＥを介して、再配置後にワイヤレス通信端末をサーブする第２のＬＭＩＳＦに、第１のＬＭＩＳＦのアドレスを提供することであって、ＬＩを行うために必要とされるワイヤレス通信端末のＩＭＳ関連情報は、第１のＬＭＩＳＦから第２のＬＭＩＳＦによって取得可能である、提供することとを含む。
【００１８】
この目的は、本発明の第６の態様において、ワイヤレス通信端末がＳ８ホームルーティングローミングを行うときにＬＩを可能にするように設定されるワイヤレス通信端末をサーブするＭＭＥによって達成される。ここで、ＭＭＥは、プロセッサおよびメモリを含み、上記のメモリは、上記のプロセッサによって実行可能である命令を含有することによって、ＭＭＥは、ワイヤレス通信端末をサーブする第１のＬＭＩＳのアドレスを受信することと、ワイヤレス通信端末が再配置されるべき別のＭＭＥを介して、再配置後にワイヤレス通信端末をサーブする第２のＬＭＩＳＦに、第１のＬＭＩＳＦのアドレスを提供することであって、ＬＩを行うために必要とされるワイヤレス通信端末のＩＭＳ関連情報は、第１のＬＭＩＳＦから第２のＬＭＩＳＦによって取得可能である、提供することとを行うように、動作可能である。
【００１９】
この目的は、本発明の第７の態様において、ワイヤレス通信端末がＳ８ホームルーティングローミングを行うときにＬＩを可能にする方法によって達成される。本方法は、ワイヤレス通信端末が再配置される第２のＬＭＩＳＦにおいて、再配置前にワイヤレス通信端末をサーブした第１のＬＭＩＳＦのアドレスを、第２のＬＭＩＳＦと関連付けられたＳＧＷを介して第２のＬＭＩＳＦをサーブするＭＭＥから受信することと、第１のＬＭＩＳＦから、ＬＩを行うために必要とされるワイヤレス通信端末のＩＭＳ関連情報を取得することとを含む。
【００２０】
この目的は、本発明の第８の態様において、ワイヤレス通信端末がＳ８ホームルーティングローミングを行うときにＬＩを可能にするように設定される第２のＬＭＩＳＦによって達成される。ここで、第２のＬＭＩＳＦは、プロセッサおよびメモリを含み、上記のメモリは、上記のプロセッサによって実行可能である命令を含有することによって、第２のＬＭＩＳＦは、第２のＬＭＩＳＦへのワイヤレス通信端末の再配置前にワイヤレス通信端末をサーブした第１のＬＭＩＳＦのアドレスを、第２のＬＭＩＳＦと関連付けられたＳＧＷを介して、第２のＬＭＩＳＦをサーブするＭＭＥから受信することと、第１のＬＭＩＳＦから、ＬＩを行うために必要とされるワイヤレス通信端末のＩＭＳ関連情報を取得することとを行うように動作可能である。
【００２１】
本明細書に開示される実施形態は、新しいインターフェースＬｍを利用し、これによって、ユーザ機器（ＵＥ）コンテキストおよび他のＵＥ関連情報が、ドナーＬＭＩＳＦからレセプタＬＭＩＳＦへ伝送され得る。さらに、本明細書における主題は、ローミングしているＵＥが新しいＳＧＷ、ＬＭＩＳＦ、および／またはモビリティ管理エンティティ（ＭＭＥ）に移動するときでも、極めて重要なＬＩ機能を実行し、または実行し続けるための所望の能力を実装するための既存の手順に対する拡張／強化を表す。
【００２２】
当業者は、添付の図面に関連した実施形態の以下の詳細な説明を読むことで、本開示の範囲を理解し、かつ本開示の追加の態様を実現するであろう。
【００２３】
本明細書の一部分に組み込まれ、かつ本明細書を形成する添付の図面は、本開示のいくつかの態様を示しており、本説明と共に、本開示の原理を説明する役割を果たす。
【図面の簡単な説明】
【００２４】
【図１Ａ】Ｌｏｃａｌ  Ｂｒｅａｋ−Ｏｕｔ（ＬＢＯ）と称される、１つの従来のＶｏｉｃｅ  Ｏｖｅｒ  Ｌｏｎｇ  Ｔｅｒｍ  Ｅｖｏｌｕｔｉｏｎ（ＶｏＬＴＥ）実装形態を示す図である。
【図１Ｂ】ベアラバインディング傍受および転送機能（ＢＢＩＦＦ）対象汎用パケット無線サービス（ＧＰＲＳ）トンネリングプロトコル（ＧＴＰ）トンネル抽出を用いた、Ｓ８ホームルーティング（Ｓ８ＨＲ）と称される別の従来のＶｏＬＴＥ実装形態を示す図である。
【図２】従来のＳ８ＨＲ実装形態におけるＬＭＩＳＦ変更を用いたサービングゲートウェイ（ＳＧＷ）伝送を示す図である。
【図３Ａ】ユーザ機器（ＵＥ）コンテキストおよびＩＭＳ情報を検索するためにＬＭＩＳＦ間インターフェースを使用して、本明細書に記載される主題の一実施形態による、合法的傍受（ＬＩ）ミラーインターネットプロトコル（ＩＰ）マルチメディアサブシステム（ＩＭＳ）状態機能（ＬＭＩＳＦ）変更を用いたＳＧＷ伝送を示す図である。
【図３Ｂ】ユーザ機器（ＵＥ）コンテキストおよびＩＭＳ情報を検索するためにＬＭＩＳＦ間インターフェースを使用して、本明細書に記載される主題の別の実施形態による、合法的傍受（ＬＩ）ミラーインターネットプロトコル（ＩＰ）マルチメディアサブシステム（ＩＭＳ）状態機能（ＬＭＩＳＦ）変更を用いたＳＧＷ伝送を示す図である。
【図３Ｃ】ユーザ機器（ＵＥ）コンテキストおよびＩＭＳ情報を検索するためにＬＭＩＳＦ間インターフェースを使用して、本明細書に記載される主題の一実施形態による、合法的傍受（ＬＩ）ミラーインターネットプロトコル（ＩＰ）マルチメディアサブシステム（ＩＭＳ）状態機能（ＬＭＩＳＦ）変更を用いたＭＭＥ伝送を示す図である。
【図４Ａ】本明細書に記載される主題の一実施形態に従って、Ｓ８ＨＲにおけるモビリティに対してＬＩを提供するためのシステムの動作中に交換されるメッセージを示すシグナリングメッセージのフロー図である。
【図４Ｂ】本明細書に記載される主題の一実施形態に従って、Ｓ８ＨＲにおけるモビリティに対してＬＩを提供するためのシステムの動作中に交換されるメッセージを示すシグナリングメッセージのフロー図である。
【図５Ａ】本明細書に記載される主題の一実施形態による例示のＬＭＩＳＦを示すブロック図である。
【図５Ｂ】本明細書に記載される主題の一実施形態による例示のＭＭＥを示すブロック図である。
【図６】本明細書に記載される主題の別の実施形態による例示のＬＭＩＳＦを示すブロック図である。
【図７】本開示のいくつかの実施形態によるＬＭＩＳＦの仮想化された実施形態を示す概略的なブロック図である。
【図８】本明細書に記載される主題のさらに別の実施形態による例示のＬＭＩＳＦを示すブロック図である。
【図９】本明細書に記載される主題のまた別の実施形態による例示のＬＭＩＳＦを示すブロック図である。
【図１０】本明細書に記載される主題の一実施形態による例示のＭＭＥを示すブロック図である。
【発明を実施するための形態】
【００２５】
以下に示される実施形態は、当業者がこれらの実施形態を実施することを可能にするための情報を表し、これらの実施形態を実施する最良の形態を示す。添付の図面を考慮して以下の説明を読むことで、当業者は、本開示の概念を理解し、特に本明細書において対処されていないこれらの概念の適用例を認識するであろう。これらの概念および適用は本開示の範囲内に収まることが理解されるべきである。
【００２６】
図３Ａは、１つの実施形態による、上述された問題に対する解決策を示す。図３Ａは、ユーザ機器（ＵＥ）２０を、第１のサービングゲートウェイ（ＳＧＷ）、すなわち、ドナーＳＧＷ、ＳＧＷ１  ２２から、第２のＳＧＷ、すなわち、レセプタＳＧＷ、ＳＧＷ２  ３４に再配置するとき、インターネットプロトコル（ＩＰ）マルチメディアサブシステム（ＩＭＳ）関連情報はステップＳ１０１においてドナーＳＧＷ１  ２２から受信され、これは、第１の合法的傍受（ＬＩ）ミラーＩＭＳ状態機能（ＬＭＩＳＦ）によって記憶かつ解析されたものであり、すなわち、ドナーＬＭＩＳＦ、ＬＭＩＳＦ１  ２６はステップＳ１０２によって示されるように、本明細書ではＬｍインターフェース４０と称される、新しく規定されたインターフェースを介して、第２のＬＭＩＳＦ、すなわちレセプタＬＭＩＳＦ、ＬＭＩＳＦ２  ３８に伝送可能であることを示している。レセプタＬＭＩＳＦ２  ３８は、ドナーＬＭＩＳＦ１  ２６によって以前に収集されたＩＭＳ情報にアクセスするため、レセプタＬＭＩＳＦ２  ３８は、ドナーＬＭＩＳＦ１  ２６によって行われた活動および解析を継続することができる。図３Ａでは、ドナーＬＭＩＳＦ１  ２６およびレセプタＬＭＩＳＦ２  ３８は両方共、データをＸ２インターフェース上で同じ配信機能（ＤＦ）（例えば、ＤＦ２  ３２）に送るが、これはその通りでなくてもよい。
【００２７】
図３Ｂを参照して示される１つの実施形態では、Ｓ８ホームルーティング（Ｓ８ＨＲ）内にこの性能を提供することは、例えば、ドナーＳＧＷ１  ２２からレセプタＳＧＷ２  ３４までのＳＧＷ再配置が生じるとき、モビリティ管理エンティティ（ＭＭＥ）４２によって制御される、ＳＧＷ再配置手順を強化することによって達成可能であり、ＳＧＷ再配置を制御するＭＭＥ４２は、ステップＳ２０２において示されるように、ドナーＬＭＩＳＦ１  ２６のアドレスをレセプタＳＧＷ２  ３４に提供することになるが、これは、ステップＳ２０１に示されるようにＵＥコンテキストの一部分としてドナーＳＧＷ１  ２２によってＭＭＥ４２に提供されていたものである。これによって、レセプタＬＭＩＳＦ２  ３８は、新しいＬｍインターフェース４０上でドナーＬＭＩＳＦ１  ２６に連絡し、かつステップＳ２０３に示されるように必要とされる情報を検索することが可能になる。
【００２８】
同様に、図３Ｃに示される実施形態において示されるように、サーブするＭＭＥであるＭＭＥ４２がまた再配置される場合、ドナーＬＭＩＳＦ１  ２６のアドレスは、ＵＥコンテキストの一部分として、ドナーＭＭＥ４２からレセプタＭＭＥ１４２に伝送される。ＵＥコンテキストは、ＵＥによる使用のために割り当てられているシグナリングおよびデータ無線ベアラのセットを含む。よって、再配置を制御するドナーＭＭＥ４２は、ステップＳ３０１に示されるようにＵＥコンテキストの一部分としてドナーＳＧＷ１  ２２によってドナーＭＭＥ４２に提供されていた、ステップＳ３０２に示されるような、ドナーＬＭＩＳＦ１  ２６のアドレスをレセプタＭＭＥ１４２に提供することになる。これによって、レセプタＬＭＩＳＦ２  ３８は、新しいＬｍインターフェース４０上でドナーＬＭＩＳＦ１  ２６に連絡し、かつステップＳ３０３に示されるように必要とされる情報を検索することが可能になる。
【００２９】
提案された解決策は、ドナーＬＭＩＳＦ１  ２６において利用可能な、確立されたＶｏｉｃｅ  Ｏｖｅｒ  Ｌｏｎｇ  Ｔｅｒｍ  Ｅｖｏｌｕｔｉｏｎ（ＶｏＬＴＥ）呼についての情報を、傍受の対象がＳＧＷ再配置を行う場合の異なるＳＧＷに（および、さらには、傍受の対象がＭＭＥ再配置を行う場合の異なるＭＭＥに）接続されるレセプタＬＭＩＳＦ２  ３８に伝送することを可能にすることが考えられる。これによって、ＳＧＷ再配置後に進行中のＶｏＬＴＥ呼の傍受の継続が可能になる。同じ原理はＭＭＥ再配置をハンドリングすることまで拡張され得る。
【００３０】
図４Ａおよび図４Ｂは、１つの実施形態に従って、本明細書に説明される解決策を提供するために、［４］に明示される現在のＳＧＷ再配置手順に必要とされる変更を示す。これらのステップに対する修正は、以下の文章に下線を引くことによって強調されている。図４Ａに示される実施形態では、ＵＥ２０がエボルブドパケットコア（ＥＰＣ）ネットワークに接続された後、ＭＭＥ４２は、ＵＥコンテキストの一部分として、ドナーＳＧＷ、ＳＧＷ２２によって提供される、ドナーＬＭＩＳＦ、ＬＭＩＳＦ１  ２６のアドレスを記憶する（手順１００）。ＩＭＳベアラがＳＧＷ２２において検出されるとき、ベアラはＬＭＩＳＦ１  ２６に提供される（データフロー１０２）。
【００３１】
再配置が行われる前に、音声呼の傍受が要求される場合（イベント１０４）、ＬＭＩＳＦ１  ２６は、ＬＩ対象を汎用パケット無線サービス（ＧＰＲＳ）トンネリングプロトコル（ＧＴＰ）トンネル識別子にマッピングする情報を含む第１のＬＩポリシ制御機能（ＬＰＣＦ）、ＬＰＣＦ１  ２８に通知することになる（メッセージ１０６）。ＬＰＣＦ１  ２８は、ドナーＳＧＷ、ＳＧＷ１  ２２にポリシ命令を送る（メッセージ１０８）ことによって応答することになる。ポリシ命令を受信することに応答して、ドナーＳＧＷ１  ２２は、ＩＭＳコンテンツを、Ｘ３インターフェースを介して、ＤＦ３＿１  ３０などの適切な配信機能に送り始めてよい（データストリーム１１０）。図４Ａには示されないが、ＬＭＩＳＦ１  ２６は、音声呼セッション開始プロトコル（ＳＩＰ）メッセージのコピーを、Ｘ２インターフェースを介して、ＤＦ２などの適切な配信機能に送ってよい。
【００３２】
ＳＧＷ再配置が行われる場合、Ｘ２ハンドオーバ（手順１１２）が開始される。対象の拡張ＮｏｄｅＢ（ｅＮｏｄｅＢまたはｅＮＢ）４６は、経路切り換え要求（メッセージ１１４）をＭＭＥ４２に発行する。それに応じて、ＭＭＥ４２はセッション作成要求（メッセージ１１６）をレセプタＳＧＷ、ＳＧＷ２  ３４に発行する。この要求は、ＳＧＷ２  ３４に、ドナーＬＭＩＳＦ、ＬＭＩＳＦ１  ２６のアドレスを提供するものになる。図４Ａに示される実施形態では、レセプタＳＧＷ、ＳＧＷ２  ３４は、ベアラ修正要求（メッセージ１１８）をパケットゲートウェイ（ＰＧＷ）１６に発行し、このＰＧＷ１６は、ベアラ修正応答（メッセージ１２０）を発行することによって応答する。ＳＧＷ２  ３４は次いで、ＭＭＥ４２に、ＬＭＩＳＦ２  ３８のアドレスを含むセッション作成応答（メッセージ１２２）を送ることになる。ＭＭＥ４２はその後、経路切り換え要求肯定応答（メッセージ１２４）を対象のｅＮＢ４６に送る。
【００３３】
図４Ｂに示される実施形態では、ユーザプレーンアップリンクおよびダウンリンクがＳＧＷ再配置手順の一部分としてセットアップされると、ＳＧＷ２  ３４はＬＭＩＳＦ２  ３８にＬＭＩＳＦ１  ２６のアドレスを提供することになる（メッセージ１２６）。傍受の継続を保証するために、ＬＭＩＳＦ２  ３８はアップリンクおよびダウンリンクのユーザプレーンを記憶する。これによって、ＬＭＩＳＦ２  ３８はＬｍインターフェース４０上でＬＭＩＳＦ１  ２６に連絡し（メッセージ１２８）、かつＩＭＳ関連情報を検索する（メッセージ１３０）ことが可能になる。ＬＭＩＳＦ２  ３８はその後、伝送したベアラが傍受のＩＭＳ対象に言及するかどうかをチェックするためにＩＭＳ関連情報全てを有することになる。
【００３４】
ＬＭＩＳＦ２  ３８は、ＬＩの対象を検出するために検索されたＩＭＳ関連情報を使用し、かつ、ＬＰＣＦ２  ４８に通知し（メッセージ１３２）、ＬＰＣＦ２  ４８は、音声データをＤＦ３＿２  ５０に提供させる（データストリーム１３６）命令をＳＧＷ２  ３４に送る（メッセージ１３４）ことによって応答する。ＬＩはＳＧＷ再配置後に要求されるため、または傍受はＳＧＷ再配置後に継続するため、このプロセスは行われてよい（プロセス１３８）。一方では、ＭＭＥ４２とＳＧＷ１  ２２との間の以前のセッションは廃棄される（メッセージ１４０、メッセージ１４２）。
【００３５】
図５Ａは、本明細書に記載される主題の一実施形態による例示のＬＭＩＳＦ、すなわち、第１のＬＭＩＳＦ１  ２６および第２のＬＭＩＳＦ２  ３８を示すブロック図である。図５Ａに示される実施形態では、ＬＭＩＳＦ５４は、電気通信ネットワークと通信するためのネットワークインターフェース５６、１つまたは複数のプロセッサ５８、およびメモリ６０を含む。メモリ６０は、１つまたは複数のプロセッサ５８によって実行される命令を記憶して、これらに本明細書に説明される機能を実行させることができる。新しいＬｍインターフェース４０は、ネットワークインターフェース５６の物理コンポーネントおよび論理コンポーネントを使用してよい。
【００３６】
図５Ｂは、本明細書に記載される主題の一実施形態による例示のＭＭＥを示すブロック図である。図５Ｂに示される実施形態では、ＭＭＥ４２は、電気通信ネットワークと通信するためのネットワークインターフェース１５６、１つまたは複数のプロセッサ１５８、およびメモリ１６０を含む。メモリ１６０は、１つまたは複数のプロセッサ１５８によって実行される命令を記憶して、これらに本明細書に説明される機能を実行させることができる。
【００３７】
図６は、本明細書に記載される主題の別の実施形態による例示のＬＭＩＳＦを示すブロック図である。図６に示される実施形態では、ＬＭＩＳＦ５４は、第２のＬＭＩＳＦ、例えば、ＬＭＩＳＦ２  ３８から、対象のユーザ機器、例えば、ＵＥ２０、またはサブスクライバと関連付けられた情報に対する要求を受信するように動作可能である受信モジュール６２と、要求を受信することおよび第２のＬＭＩＳＦに応答して、対象のＵＥまたはサブスクライバと関連付けられた情報を提供するように動作可能である提供モジュール６４とを含む。
【００３８】
図７は、本開示のいくつかの実施形態によるＬＭＩＳＦ５４の仮想化された実施形態を示す概略的なブロック図である。この論述は、一実施形態によるＭＭＥなどの他のタイプのネットワークノードに等しく適用可能である。さらに、他のタイプのネットワークノードは同様の仮想化アーキテクチャを有することができる。
【００３９】
本明細書で使用されるように、「仮想化」ネットワークノードは、ＬＭＩＳＦ５４の機能性の少なくとも一部が（例えば、ネットワークにおいて物理処理ノードを実行する仮想マシンを介して）仮想コンポーネントとして実装されるＬＭＩＳＦ５４の実装形態である。示されるように、この例では、ＬＭＩＳＦ５４は、１つまたは複数のプロセッサ５８（例えば、中央処理装置（ＣＰＵ）、特定用途向け集積回路（ＡＳＩＣ）、フィールドプログラマブルゲートアレイ（ＦＰＧＡ）および／または類似のもの）、メモリ６０、およびネットワークインターフェース５６を含む制御システム６６を含む。さらに、ＬＭＩＳＦ５４が無線ネットワークノードである場合、ＬＭＩＳＦ５４は、それぞれが、１つまたは複数のアンテナ７４に結合される、１つまたは複数の送信機７０および１つまたは複数の受信機７２を含む１つまたは複数の無線ユニット６８をさらに含む。制御システム６６は、例えば、光ケーブルなどを介して無線ユニット６８に接続される。制御システム６６は、ネットワークインターフェース５６を介してネットワーク７８に結合されるまたはこの一部分として含まれる１つまたは複数の処理ノード７６に接続される。それぞれの処理ノード７６は、１つまたは複数のプロセッサ８０（例えば、ＣＰＵ、ＡＳＩＣ、ＦＰＧＡおよび／または類似のもの）、メモリ８２、およびネットワークインターフェース８４を含む。
【００４０】
この例では、本明細書に説明されるＬＭＩＳＦ５４の機能８６は、１つまたは複数の処理ノード７６において実装される、または任意の所望のやり方で制御システム６６および１つまたは複数の処理ノード７６にわたって分散される。いくつかの特定の実施形態では、本明細書に説明されるＬＭＩＳＦ５４の機能８６の一部または全ては、処理ノード７６によってホストされる仮想環境において実装される１つまたは複数の仮想マシンによって実行される仮想コンポーネントとして実装される。当業者によって理解されるように、処理ノード７６と制御システム６６との間の追加のシグナリングまたは通信は、所望の機能８６の少なくとも一部を実行するために使用される。
【００４１】
とりわけ、いくつかの実施形態では、制御システム６６は含まれない場合があり、この場合、無線ユニット６８は、適切なネットワークインターフェースを介して処理ノード７６と直接通信する。いくつかの他の実施形態では、ＬＭＩＳＦ５４は、全面的に仮想化される（すなわち、制御システム６６または無線ユニット６８を含まない）。
【００４２】
いくつかの実施形態では、少なくとも１つのプロセッサによって実行されるとき、少なくとも１つのプロセッサに、本明細書に説明される実施形態のいずれかによる仮想環境において、ＬＭＩＳＦ５４、またはＬＭＩＳＦ５４の機能８６の１つまたは複数を実装するノード（例えば、処理ノード７６）の機能性を実行させる命令を含むコンピュータプログラムが提供される。いくつかの実施形態では、前述のコンピュータプログラム製品を含むキャリアが提供される。キャリアは、電子信号、光信号、無線信号、またはコンピュータ可読記憶媒体（例えば、メモリなどの非一時的なコンピュータ可読媒体）のうちの１つである。
【００４３】
図８は、本明細書に記載される主題の別の実施形態による例示のＬＭＩＳＦ２００を示す。図８に示される実施形態では、ＬＭＩＳＦ２００は、ワイヤレス通信端末、例えば、ＵＥ２０をサーブする、ＳＧＷ２２などの第１のＳＧＷから、ＬＩを行うために必要とされるワイヤレス通信端末２０のＩＭＳ関連情報を受信するように動作可能である受信モジュール２０１と、ＳＧＷ３４などの、ワイヤレス通信端末２０をサーブする第２のＳＧＷにワイヤレス通信端末２０を再配置すると、ＬＩを行うために必要とされるワイヤレス通信端末２０の受信したＩＭＳ関連情報を、第２のＳＧＷ３４と関連付けられた、ＬＭＩＳＦ３８などの第２のＬＭＩＳＦに提供するように動作可能である提供モジュール２０２とを含む。
【００４４】
図９は、本明細書に記載される主題の別の実施形態による例示のＬＭＩＳＦ３００を示す。図９に示される実施形態では、ＬＭＩＳＦ２  ３８などの、ワイヤレス通信端末２０が再配置されるＬＭＩＳＦであるＬＭＩＳＦ３００は、再配置前にワイヤレス通信端末２０をサーブしたＬＭＩＳＦ１  ２６などの第１のＬＭＩＳＦのアドレスを、（ＳＧＷ２  ３４などの）ＳＧＷを介してＬＭＩＳＦ３００をサーブする（ＭＭＥ４２などの）ＭＭＥから受信するように動作可能である受信モジュール３０１と、第１のＬＭＩＳＦから、ＬＩを行うために必要とされるワイヤレス通信端末２０のＩＭＳ関連情報を取得するように動作可能である取得モジュール３０２とを含む。
【００４５】
図１０は、本明細書に記載される主題の別の実施形態による例示のＭＭＥ４００を示す。図１０に示される実施形態では、ＭＭＥ４２などのＭＭＥ４００は、ＳＧＷ１  ２２などの第１のＳＧＷから、ＵＥ２０などのワイヤレス通信端末をサーブする、ＬＭＩＳＦ１  ２６などの第１のＬＭＩＳＦのアドレスを受信するように動作可能である受信モジュール４０１と、ＳＧＷ２  ３４などの第２のＳＧＷを介して、ワイヤレス通信端末が再配置されるＬＭＩＳＦ２  ３８などの第２のＬＭＩＳＦに、第１のＬＭＩＳＦのアドレスを提供するように動作可能である提供モジュール４０２とを含む。この場合、ＬＩを行うために必要とされるワイヤレス通信端末のＩＭＳ関連情報は、第１のＬＭＩＳＦから第２のＬＭＩＳＦによって取得可能である。
【００４６】
本明細書における方法およびシステムは、一般的にＬＭＩＳＦアドレスを交換すること、およびＬＭＩＳＦからＬＭＩＳＦ以外のエンティティへのデータの通信を伴う場合がある他のシナリオに対処するために拡張されてよい。要約すれば、解決策によって、ＵＥモビリティにより、ＶｏＬＴＥ呼に関与したＳＧＷが変わる場合に、Ｓ８ＨＲアーキテクチャにおけるＶｏＬＴＥ呼のＬＩを可能にするＩＭＳローミングシナリオにおいてＶｏＬＴＥを提供するために使用されるエボルブドパケットコアネットワークに対する方法および強化が明示される。
【００４７】
これは、
・新しいＬＭＩＳＦ間インターフェースを導入することによってＬＩアーキテクチャを強化すること、
・ＳＧＷに関連したＬＭＩＳＦのアドレスをＭＭＥに記憶することによって既存のＳＧＷ再配置手順を強化すること、
・ＬＭＩＳＦアドレス情報を追加することによっていくつかの既存のＧＴＰｖ２メッセージを強化すること、および
・ＬＭＩＳＦが別のＬＭＩＳＦに連絡することができるようにする手順を規定することによって実現される。
【００４８】
限定はされないが、本開示のいくつかの例示の実施形態が以下に提供される。
【００４９】
一実施形態では、電気通信ネットワークの動作の方法が提供される。本方法は、第１のＬＩミラーインターネットプロトコルマルチメディアサブシステム状態機能（ＬＭＩＳＦ）（２６）において、第２のＬＭＩＳＦ（３８）から、対象のユーザ機器（ＵＥ）（２０）またはサブスクライバと関連付けられた情報に対する要求を受信すること（１２８）と、要求を受信することに応答して、対象のＵＥまたはサブスクライバと関連付けられた情報を第２のＬＭＩＳＦ（３８）に提供すること（１３０）とを含む。
【００５０】
さらなる実施形態では、対象のＵＥ（２０）またはサブスクライバと関連付けられた情報は対象のＵＥのコンテキストを含む。
【００５１】
なおさらなる実施形態では、対象のＵＥのコンテキストは、第１のＬＭＩＳＦおよび第２のＬＭＩＳＦのうちの少なくとも１つのアドレスを含む。
【００５２】
さらなる実施形態では、方法は、情報に対する要求を受信する前に、対象のＵＥ（２０）またはサブスクライバをサーブする第１のシグナリングゲートウェイ（ＳＧＷ）（２２）において、モビリティ管理エンティティ（ＭＭＥ）（４２）に、第１のＬＭＩＳＦ（２６）のアドレスを含む、対象のＵＥに対するコンテキストを送ることと、対象のＵＥと関連付けられたインターネットプロトコルマルチメディアサブシステム（ＩＭＳ）ベアラを検出することと、対象のＵＥと関連付けられたＩＭＳベアラを検出することに応答して、対象のＵＥと関連付けられたＩＭＳベアラを第１のＬＭＩＳＦ（２６）に提供することとを含む。
【００５３】
さらに別の実施形態では、方法は、情報に対する要求を受信する前に、第１のＬＭＩＳＦ（２６）において、対象のＵＥ（２０）に関連しているＬＩ機能を実行するための要求を受信することと、対象のＵＥに関連している要求されたＬＩ機能を実行することとを含む。
【００５４】
なおさらなる実施形態では、要求されたＬＩ機能は音声呼の傍受を含む。
【００５５】
さらに別の実施形態では、方法は、第１のＬＭＩＳＦ（２６）において、傍受される音声呼を検出することと、音声呼を検出することに応答して、ＬＩポリシ制御機能（ＬＰＣＦ）（２８）に、傍受される音声呼が検出されたことを通知することであって、ＬＩ対象をＧＴＰトンネル識別子にマッピングする情報を含む、通知することと、ＳＧＷ（２２）において、ポリシ命令をＬＰＣＦ（２８）から受信することと、ポリシ命令を受信することに応答して、ＩＭＳコンテンツを第１の配信機能（ＤＦ）に送ることとをさらに含む。
【００５６】
さらなる実施形態では、方法は、第１のＬＭＩＳＦ（２６）において、傍受される音声呼と関連付けられたＳＩＰメッセージのコピーを第１のＤＦまたは第２のＤＦのうちの少なくとも１つに送ることをさらに含む。
【００５７】
さらなる実施形態では、方法は、情報に対する要求を受信する前に、ＭＭＥ（４２）において、ＵＥ（２０）を第１のＳＧＷ（２２）から第２のＳＧＷ（３４）に移動するための経路切り換え要求（１１４）を受信することと、経路切り換え要求を受信することに応答して、第２のＳＧＷ（３４）に、第１のＬＭＩＳＦ（２６）のアドレスを含むセッション作成要求（１１６）を送ることとを含む。
【００５８】
別の実施形態では、方法は、ＭＭＥ（４２）において、第２のＳＧＷ（３４）から、第２のＬＭＩＳＦ（３８）のアドレスを含むセッション作成応答（１２２）を受信することをさらに含む。
【００５９】
さらに別の実施形態では、方法は、第２のＳＧＷ（３４）によって、第１のＬＭＩＳＦ（２６）のアドレスを第２のＬＭＩＳＦ（３８）に送ること（１２６）をさらに含む。
【００６０】
一実施形態では、ネットワークインターフェース（５６）と、１つまたは複数のプロセッサ（５８）と、１つまたは複数のプロセッサによって実行可能である命令を記憶することによって、ＬＭＩＳＦは、第２のＬＭＩＳＦ（３８）から、対象のユーザ機器（ＵＥ）（２０）またはサブスクライバと関連付けられた情報に対する要求を受信する（１２８）ように、および、要求を受信することに応答して、第２のＬＭＩＳＦ（３８）に、対象のＵＥまたはサブスクライバと関連付けられた情報を提供する（１３０）ように動作可能である、メモリ（６０）とを含む、合法的傍受ミラーインターネットプロトコルマルチメディアサブシステム状態機能（ＬＭＩＳＦ）（５４）が提供される。
【００６１】
一実施形態では、第２のＬＭＩＳＦ（３８）から、対象のユーザ機器（ＵＥ）（２０）またはサブスクライバと関連付けられた情報に対する要求を受信する（１２８）ように、および、要求を受信することに応答して、第２のＬＭＩＳＦ（３８）に、対象のＵＥまたはサブスクライバと関連付けられた情報を提供する（１３０）ように適応される、合法的傍受ミラーインターネットプロトコルマルチメディアサブシステム状態機能（ＬＭＩＳＦ）（５４）が提供される。
【００６２】
一実施形態では、第２のＬＭＩＳＦ（３８）から、対象のユーザ機器（ＵＥ）（２０）またはサブスクライバと関連付けられた情報に対する要求を受信するように動作可能である受信モジュール（６２）と、要求を受信することおよび第２のＬＭＩＳＦ（３８）に応答して、対象のＵＥまたはサブスクライバと関連付けられた情報を第２のＬＭＩＳＦ（３８）に提供するように動作可能である提供モジュール（６４）とを含む、合法的傍受ミラーインターネットプロトコルマルチメディアサブシステム状態機能（ＬＭＩＳＦ）（５４）が提供される。
【００６３】
一実施形態では、ノードの１つまたは複数のプロセッサによって実行されるとき、ノードに、ＬＭＩＳＦ（３８）から、対象のユーザ機器（ＵＥ）（２０）またはサブスクライバと関連付けられた情報に対する要求を受信（１２８）させ、かつ、要求を受信することに応答して、ＬＭＩＳＦ（３８）に、対象のＵＥまたはサブスクライバと関連付けられた情報を提供（１３０）させるソフトウェア命令を記憶する、非一時的なコンピュータ可読媒体が提供される。
【００６４】
一実施形態では、少なくとも１つのプロセッサによって実行されるとき、少なくとも１つのプロセッサに、第２のＬＭＩＳＦ（３８）から、対象のユーザ機器（ＵＥ）（２０）またはサブスクライバと関連付けられた情報に対する要求を受信（１２８）させ、かつ、要求を受信することに応答して、第２のＬＭＩＳＦ（３８）に、対象のＵＥまたはサブスクライバと関連付けられた情報を提供（１３０）させる命令を含む、コンピュータプログラムが提供される。
【００６５】
以下の頭字語は本開示全体を通して使用される。
３ＧＰＰ  第３世代パートナーシッププロジェクト
ＡＰＮ  アクセスポイント名
ＡＳＩＣ  特定用途向け集積回路
ＢＢＩＦＦ  ベアラバインディング傍受および転送機能
ＣＰＵ  中央処理装置
ＤＦ  配信機能
ｅＮＢ  拡張またはエボルブドＮｏｄｅＢ
ＥＰＣ  エボルブドパケットコア
ＦＰＧＡ  フィールドプログラマブルゲートアレイ
ＧＰＲＳ  汎用パケット無線サービス
ＧＳＭ  Ｇｌｏｂａｌ  Ｓｙｓｔｅｍ  ｆｏｒ  Ｍｏｂｉｌｅ  Ｃｏｍｍｕｎｉｃａｔｉｏｎｓ
ＧＳＭＡ  ＧＳＭアソシエーション
ＧＴＰ  ＧＰＲＳトンネリングプロトコル
ＧＴＰｖ２  ＧＴＰバージョン２
ＨＰＬＭＮ  ホーム地上波公共移動通信ネットワーク
ＩＭＳ  インターネットプロトコルマルチメディアサブシステム
ＩＰ  インターネットプロトコル
ＬＢＯ  Ｌｏｃａｌ  Ｂｒｅａｋ−Ｏｕｔ
ＬＩ  合法的傍受
ＬＭＩＳＦ  ＬＩミラーＩＭＳ状態機能
ＬＰＣＦ  ＬＩポリシ制御機能
ＬＴＥ  Ｌｏｎｇ  Ｔｅｒｍ  Ｅｖｏｌｕｔｉｏｎ
ＭＭＥ  モビリティ管理エンティティ
Ｐ−ＣＳＣＦ  プロキシ呼セッション制御機能
ＰＤＮ  パケットデータネットワーク
ＰＧＷ  パケットデータネットワークゲートウェイ
ＱＣＩ  ＱｏＳクラス識別子
ＱｏＳ  サービス品質
ＳＡ  サービスアスペクト
Ｓ−ＣＳＣＦ  サービング呼セッション制御機能
ＳＧＷ  サービングゲートウェイ
ＳＩＰ  セッション開始プロトコル
Ｓ８  ＳＧＷとＰＧＷとの間の（オペレータ内）インターフェース
Ｓ８ＨＲ  Ｓ８ホームルーティング
ＴＲ  技術報告
ＵＥ  ユーザ機器
ＶｏＬＴＥ  Ｖｏｉｃｅ  ｏｖｅｒ  ＬＴＥ
ＶＰＬＭＮ  訪問先地上波公共移動通信ネットワーク
【００６６】
当業者は、本開示の実施形態に対する改良および修正を認識するであろう。全てのこのような改良および修正は、本明細書に開示される概念の範囲内にあるとみなされる。
【００６７】
出典
［１］ｈｔｔｐ：／／ｗｗｗ．ｇｓｍａ．ｃｏｍ／ｎｅｗｓｒｏｏｍ／ａｌｌ−ｄｏｃｕｍｅｎｔｓ／ｈｔｔｐｗｗｗ−ｇｓｍａ−ｃｏｍｎｅｗｓｒｏｏｍｗｐ−ｃｏｎｔｅｎｔｕｐｌｏａｄｓｉｒ−６５−ｖ２０−０−ｐｄｆ／で利用可能な、ＧＳＭＡ  ＩＲ．６５  ＩＭＳ  Ｒｏａｍｉｎｇ  ａｎｄ  Ｉｎｔｅｒｗｏｒｋｉｎｇ  Ｇｕｉｄｅｌｉｎｅｓ  Ｖ．２０．０
［２］ｆｔｐ：／／ｆｔｐ．３ｇｐｐ．ｏｒｇ／ＴＳＧ＿ＳＡ／ＷＧ３＿Ｓｅｃｕｒｉｔｙ／ＴＳＧＳ３＿ＬＩ／２０１５＿６１＿ＳａｎＦｒａｎｃｉｓｃｏ／Ｄｏｃｓ／Ｓ３ｉ１６０１９２．ｚｉｐで利用可能な、３ＧＰＰ  ＴＲ  ３３．８２７「Ｓｔｕｄｙ  ｏｎ  Ｐｒｏｖｉｄｉｎｇ  ｆｏｒ  ＬＩ  ｉｎ  ｔｈｅ  Ｓ８  Ｈｏｍｅ  Ｒｏｕｔｉｎｇ  Ａｒｃｈｉｔｅｃｔｕｒｅ  ｆｏｒ  ＶｏＬＴＥ（Ｒｅｌｅａｓｅ  １４）」、ｖ．０．１．０
［３］ｆｔｐ：／／ｆｔｐ．３ｇｐｐ．ｏｒｇ／Ｓｐｅｃｓ／ａｒｃｈｉｖｅ／２９＿ｓｅｒｉｅｓ／２９．２７４／２９２７４−ｄ５０．ｚｉｐで利用可能な、３ＧＰＰ  ＴＳ  ２９．２７４「３ＧＰＰ  Ｅｖｏｌｖｅｄ  Ｐａｃｋｅｔ  Ｓｙｓｔｅｍ（ＥＰＳ）；Ｅｖｏｌｖｅｄ  Ｇｅｎｅｒａｌ  Ｐａｃｋｅｔ  Ｒａｄｉｏ  Ｓｅｒｖｉｃｅ（ＧＰＲＳ）  Ｔｕｎｎｅｌｌｉｎｇ  Ｐｒｏｔｏｃｏｌ  ｆｏｒ  Ｃｏｎｔｒｏｌ  ｐｌａｎｅ（ＧＴＰｖ２−Ｃ）；Ｓｔａｇｅ  ３、ｖ．１３．５．０」
［４］ｆｔｐ：／／ｆｔｐ．３ｇｐｐ．ｏｒｇ／Ｓｐｅｃｓ／ａｒｃｈｉｖｅ／２３＿ｓｅｒｉｅｓ／２３．４０１／２３４０１−ｄ６１．ｚｉｐで利用可能な、３ＧＰＰ  ＴＳ  ２３．４０１「Ｇｅｎｅｒａｌ  Ｐａｃｋｅｔ  Ｒａｄｉｏ  Ｓｅｒｖｉｃｅ（ＧＰＲＳ）  ｅｎｈａｎｃｅｍｅｎｔｓ  ｆｏｒ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）  ａｃｃｅｓｓ（Ｒｅｌｅａｓｅ  １３）」、ｖ．１３．６．１
［５］３ＧＰＰ  ＴＲ  ３３．８２７「Ｓｔｕｄｙ  ｏｎ  Ｐｒｏｖｉｄｉｎｇ  ｆｏｒ  ＬＩ  ｉｎ  ｔｈｅ  Ｓ８  Ｈｏｍｅ  Ｒｏｕｔｉｎｇ  Ａｒｃｈｉｔｅｃｔｕｒｅ  ｆｏｒ  ＶｏＬＴＥ（Ｒｅｌｅａｓｅ  １４）」、ｖ．１．１．０
【図１Ａ】
2019521605.tif 000003
【図１Ｂ】
2019521605.tif 000004
【図２】
2019521605.tif 000005
【図３Ａ】
2019521605.tif 000006
【図３Ｂ】
2019521605.tif 000007
【図３Ｃ】
2019521605.tif 000008
【図４Ａ】
2019521605.tif 000009
【図４Ｂ】
2019521605.tif 000010
【図５Ａ】
2019521605.tif 000011
【図５Ｂ】
2019521605.tif 000012
【図６】
2019521605.tif 000013
【図７】
2019521605.tif 000014
【図８】
2019521605.tif 000015
【図９】
2019521605.tif 000016
【図１０】
2019521605.tif 000017
【国際調査報告】
2019521605.tif 000018
2019521605.tif 000019